(57)【要約】【課題】部品点数を増やすことなく、簡単な構成で携帯端末を装着した充電台の自立角度を切り換え可能とし、使用者が使用状態に応じて選択可能とする。【解決手段】自立部材収容部８に自立部材を第１スライド完了位置又は第２スライド完了位置にスライドさせる第１及び第２スライドガイド部１２ｂ，１３ｂと、自立部材を第１スライド完了位置で回動可能に支持する第１支点部１２ａ及び自立部材を第２スライド完了位置で回動可能に支持する第２支点部１３ａとを設ける。自立部材に第１支点部１２ａ又は第１スライドガイド部１２ｂに係合する第１ガイド軸部２２及び第２支点部１３ａ又は第２スライドガイド部１３ｂに係合する第２ガイド軸部２３とを設ける。自立部材を第１スライド完了位置に回動させた状態で充電台本体６を第１自立角度で自立させると共に、第２スライド完了位置に回動させた状態で充電台本体６を第２自立角度で自立させる。【選択図】図１１
2010056674.tif 000002
【特許請求の範囲】
【請求項１】
携帯端末を保持した状態で自立可能な携帯端末用充電台において、
正面側に上記携帯端末を着脱可能に保持する端末収容部を有し、背面側に自立部材収容部を有する充電台本体と、
上記自立部材収容部に収容される収容状態又は回動した状態で上記充電台本体の自立を補助する自立状態とに切換可能な自立部材と、
上記自立部材収容部に形成され、上記自立部材を第１スライド完了位置又は第２スライド完了位置にスライドさせる第１及び第２スライドガイド部と、
上記自立部材収容部に形成され、上記自立部材を第１スライド完了位置で回動可能に支持する第１支点部及び上記自立部材を第２スライド完了位置で回動可能に支持する第２支点部と、
上記自立部材に形成され、第１支点部又は第１スライドガイド部に係合する第１ガイド軸部及び第２支点部又は第２スライドガイド部に係合する第２ガイド軸部とを備え、
上記自立部材は、上記第１スライド完了位置で回動された状態で上記充電台本体を第１自立角度で自立させると共に、上記第２スライド完了位置で回動された状態で上記充電台本体を第２自立角度で自立させるように補助するように構成されている
ことを特徴とする携帯端末用充電台。
【請求項２】
請求項１の携帯端末用充電台において、
上記第１スライドガイド部は、第１ガイド軸部を離脱させる第１離脱部に連続し、
上記第２スライドガイド部は、第２ガイド軸部を離脱させる第２離脱部に連続している
ことを特徴とする携帯端末用充電台。
【請求項３】
請求項１又は２の携帯端末用充電台において、
上記第１支点部には、上記充電台本体が上記第１自立角度で自立した状態で上記自立部材をロックするための第１回動保持部が形成されると共に、上記第１ガイド軸部には、該第１回動保持部に係合する第１回動ロック部が形成され、
上記第２支点部には、上記充電台本体が上記第２自立角度で自立した状態で上記自立部材をロックするための第２回動保持部が形成されると共に、上記第２ガイド軸部には、該第２回動保持部に係合する第２回動ロック部が形成されている
ことを特徴とする携帯端末用充電台。
【請求項４】
請求項１乃至３のいずれか１つの携帯端末用充電台において、
上記自立部材には、上記第１ガイド軸部と第２ガイド軸部とに挟まれるようにスライドロック部が突設され、
上記自立部材収容部には、上記自立部材が上記第１スライド完了位置にあるときに上記スライドロック部が係合する第１保持部と、上記自立部材が上記第２スライド完了位置にあるときに上記スライドロック部が係合する第２保持部とが形成されている
ことを特徴とする携帯端末用充電台。
【請求項５】
請求項１乃至４のいずれか１つの携帯端末用充電台において、
上記携帯端末は、ＴＶ受信機能を備えた携帯電話機である
ことを特徴とする携帯端末用充電台。
【発明の詳細な説明】
【技術分野】
【０００１】
本発明は、携帯電話機や携帯通信機器等の携帯端末を着脱可能に保持した状態で充電を行う携帯端末用充電台に関するものである。
【背景技術】
【０００２】
従来より、携帯端末を着脱可能に保持して充電を行う携帯端末用充電台が用いられている。
【０００３】
携帯端末を自立可能とするために、例えば特許文献１のように携帯端末の下端側に回動可能に自立部材を設け、使用時は両側面に収納し、自立させたいときは自立部材を回動させて自立を行うものが知られている。
【０００４】
また、図１７に示すように、収納された自立部材１２０を有する携帯端末１０１では、図１８のように自立部材１２０を回動して設定された角度まで開くことにより、携帯端末１０１を自立可能とできる。
【０００５】
また、図１９に示すように、充電台２１０自体に自立部材２２０が設けられたものでは、図２０に示すように、自立部材２２０を回動させた状態で携帯端末を保持可能となっている。自立部材２２０を充電台２１０側に具備することによって携帯端末の形状が簡略化されるので、昨今の機種では、この方法が多くとられている。
【特許文献１】特開２００１−２９２２１７号公報
【発明の開示】
【発明が解決しようとする課題】
【０００６】
しかしながら、上記従来の充電台２１０では、充電台２１０に取り付けられた自立部材２２０は、１つの回動支点を有するものであって、自立部材２２０を収納（閉じた）状態と自立部材２２０を自立させた（開いた）自立状態とに切換可能であるが、自立状態では、１つの設定された角度でしか自立させることができなかった。
【０００７】
図２１に縦長状態の携帯端末３０１を示すように、昨今の携帯端末３０１は、表示部３０１ａが大きくなる傾向にあり、地上デジタル放送の稼動に伴って図２２に示すように、表示部３０１ａを横長状態で自立させ、ＴＶ視聴を楽しむ場面が増加している。
【０００８】
しかし、従来のように一通りの角度でしか自立できないとなると、接地面の高さなどに合わせた角度に設定できず、快適にＴＶ視聴を行うことができない等の不便性があった。
【０００９】
本発明は、かかる点に鑑みてなされたものであり、その目的とするところは、簡単な構成で接地面の高さなどに合わせて携帯端末用充電台の自立の角度を選択できるようにすることにある。
【課題を解決するための手段】
【００１０】
上記の目的を達成するために、この発明では、充電台に具備した自立部材をスライドした位置によって、それぞれ逆方向に回動可能とするようにした。
【００１１】
具体的には、第１の発明では、携帯端末を保持した状態で自立可能な携帯端末用充電台を対象とし、
上記携帯端末用充電台は、
正面側に上記携帯端末を着脱可能に保持する端末収容部を有し、背面側に自立部材収容部を有する充電台本体と、
上記自立部材収容部に収容される収容状態又は回動した状態で上記充電台本体の自立させるように補助する自立状態とに切換可能な自立部材と、
上記自立部材収容部に形成され、上記自立部材を第１スライド完了位置又は第２スライド完了位置にスライドさせる第１及び第２スライドガイド部と、
上記自立部材収容部に形成され、上記自立部材を第１スライド完了位置で回動可能に支持する第１支点部及び上記自立部材を第２スライド完了位置で回動可能に支持する第２支点部と、
上記自立部材に形成され、第１支点部又は第１スライドガイド部に係合する第１ガイド軸部及び第２支点部又は第２スライドガイド部に係合する第２ガイド軸部とを備えている。
【００１２】
そして、上記自立部材は、上記第１スライド完了位置で回動された状態で上記充電台本体を第１自立角度で自立させると共に、上記第２スライド完了位置で回動された状態で上記充電台本体を第２自立角度で自立させるように補助するように構成されている。
【００１３】
上記の構成によると、自立部材は、第１ガイド軸部及び第２ガイド軸部が第１及び第２スライドガイド部を移動することで、自立部材収容部内で第１スライド完了位置又は第２スライド完了位置にスライド移動する。自立部材は、第１スライド完了位置において回動された状態で充電台本体を第１自立角度で自立させる。また、自立部材は、第２スライド完了位置において、自立部材が回動された状態で充電台本体を第２自立角度で自立させる。このようにしてユーザは２つの自立角度を選択することができる。
【００１４】
第２の発明では、第１の発明において、
上記第１スライドガイド部は、第１ガイド軸部を離脱させる第１離脱部に連続し、
上記第２スライドガイド部は、第２ガイド軸部を離脱させる第２離脱部に連続している。
【００１５】
上記の構成によると、自立部材が第１スライド完了位置において第１支持部にある第１ガイド軸部を中心に回動するときには、第２ガイド軸部が第２離脱部から離脱し、自立部材が第２スライド完了位置において第２支持部にある第２ガイド軸部を中心に回動するときには、第１ガイド軸部が第１離脱部から離脱するので、回動操作が容易である。
【００１６】
第３の発明では、第１又は第２の発明において、
上記第１支点部には、上記充電台本体が上記第１自立角度で自立した状態で上記自立部材をロックするための第１回動保持部が形成されると共に、上記第１ガイド軸部には、該第１回動保持部に係合する第１回動ロック部が形成され、
上記第２支点部には、上記充電台本体が上記第２自立角度で自立した状態で上記自立部材をロックするための第２回動保持部が形成されると共に、上記第２ガイド軸部には、該第２回動保持部に係合する第２回動ロック部が形成されている。
【００１７】
上記の構成によると、自立部材が第１自立角度及び第２自立角度のいずれにあるときも確実にロックされる。
【００１８】
第４の発明では、第１乃至第３のいずれか１つの発明において、
上記自立部材には、上記第１ガイド軸部と第２ガイド軸部とに挟まれるようにスライドロック部が突設され、
上記自立部材収容部には、上記自立部材が上記第１スライド完了位置にあるときに上記スライドロック部が係合する第１保持部と、上記自立部材が上記第２スライド完了位置にあるときに上記スライドロック部が係合する第２保持部とが形成されている。
【００１９】
上記の構成によると、自立部材が第１スライド完了位置及び第２スライド完了位置のいずれにあるときも確実にロックされるので、意図せず収納状態の自立部材がスライド移動したり、回動したりすることはない。
【００２０】
第５の発明では、第１乃至第４のいずれか１つの発明において、
上記携帯端末は、ＴＶ受信機能を備えた携帯電話機とする。
【００２１】
上記の構成によると、接地面の高さに合わせてユーザが２つの自立角度のいずれかを選択することができるので、快適に携帯電話機でＴＶ視聴を行うことができる。
【発明の効果】
【００２２】
以上説明した通り、本発明では、１つの自立部材を２つのスライド完了位置のいずれか一方にスライドさせ、各スライド位置でそれぞれ逆方向に回動させることにより、携帯端末を大きくすることなく、また、部品点数を増やすことなく簡単な構成で、使用者が２つの自立角度のいずれかを選択することができる。
【発明を実施するための最良の形態】
【００２３】
以下、本発明の実施形態を図に基づいて説明する。
【００２４】
図１に本発明の実施形態にかかる携帯端末１を示す。本実施形態の携帯端末１は、縦長状態に持ったときに上下に長い、地上デジタル等に対応した大きな表示部１ａを有している。携帯端末１では、表示部１ａを有する第１の筐体２が、図示しない操作キーを有する第２の筐体３上をスライド可能に構成されている。つまり、携帯端末１は、スライド式携帯電話機よりなる。
【００２５】
図２に、この携帯端末１を着脱可能に保持し、充電等を行う携帯端末用充電台５を示す。図３に充電台５に携帯端末１を保持した状態を示す。充電台５は、携帯端末１よりも若干大きい直方体状の充電台本体６を有し、この充電台本体６の表面側に携帯端末１を収容する端末収容部７が凹陥されている。充電台５は、この端末収容部７に携帯端末１を収容した状態でＴＶ視聴するＴＶスタンドとしての役割も有している。詳しくは図示しないが、端末収容部７の壁面に携帯端末１の充電端子と接続される接続端子が設けられ、また、充電台５には、図示しない電源コードが接続されている。
【００２６】
図４に示すように、充電台本体６の背面には、充電台本体６を自立させる自立部材２０を収納するための自立部材収容部８が設けられている。図５は、充電台５の断面図を示す。図６に自立部材収容部８を拡大して示す。図５及び図６に示すように、便宜上第１〜第６方向Ａ〜Ｆを定義する。
【００２７】
図６及び図７に示すように、自立部材収容部８は、矩形状の凹部で構成されている。具体的には、第１方向Ａ，第２方向Ｂ，第５方向Ｅ，第６方向Ｆにそれぞれ第１〜第４壁面８ａ〜８ｄを備え、さらに第３方向Ｃに平坦な底面８ｅを備えている。第１壁面８ａ、第３壁面８ｃ及び第４壁面８ｄは、底面８ｅに対してほぼ垂直に連続し、第２壁面８ｂのみ底面８ｅに対して第２方向Ｂに拡がるように傾斜している。底面８ｅに対する第１壁面８ａの角度及び第２壁面８ｂの角度は、後述する充電台５の第１及び第２自立角度α，βと関係している。
【００２８】
また、図５に示すように、自立部材収容部８は、矩形板状の自立部材２０がすっぽりと収容されるように第１方向Ａ及び第２方向Ｂの長さＬ１が、その方向の自立部材２０の長さＬ２よりも大きく構成されている（Ｌ１＞Ｌ２）。このため、自立部材２０は、充電台５に対して第１方向Ａ及び第２方向Ｂにスライド可能となっている。
【００２９】
図７に第４壁面８ｄ側のみを拡大して示すように、この自立部材収容部８は、第３壁面８ｃ及び第４壁面８ｄに周囲よりも凹んだスライド保持部１１と第１ガイド部１２と第２ガイド部１３とをそれぞれ有している。
【００３０】
第１ガイド部１２と第２ガイド部１３とで挟まれたスライド保持部１１は、半球状穴であるＢ方向側の第１保持部１１ａとＡ方向側の第２保持部１１ｂとで構成されている。
【００３１】
第１ガイド部１２は、自立部材２０の回動を行うための円形穴よりなる第１支点部１２ａを有している。この第１支点部１２ａに連続して第１スライドガイド部１２ｂが自立部材収容部８の底面８ｅと平行に延び、この第１スライドガイド部１２ｂが自立部材収容部８の底面８ｅと垂直に底面８ｅから離れる方向に延びる第１離脱部１２ｃと連続している。第１スライドガイド部１２ｂの幅Ｗ１は、スライド範囲内での回動を防止するために、第１支点部１２ａの内径Ｄよりも小さく設定されている（Ｗ１＜Ｄ）。また、第１離脱部１２ｃの幅Ｗ２は、第１支点部１２ａの離脱を容易にするために第１支点部１２ａの内径Ｄよりも大きく設定されている（Ｄ＜Ｗ２）。また、自立部材２０の回動を規制するための第１回動保持部１２ｄが第１支点部１２ａから外側へ延びるように凹陥されている。
【００３２】
第２ガイド部１３は、上記第１ガイド部１２を反転させた形状を有し、第１ガイド部１２と同様に、第２支点部１３ａ、第２スライドガイド部１３ｂ及び第２離脱部１３ｃを有している。回動を保持するための第２回動保持部１３ｄは、第１回動保持部１２ｄとは異なり、第２壁面８ｂに沿うように、自立部材収容部８の底面８ｅに対して傾斜する方向に延びている。
【００３３】
図８に自立部材２０を拡大して示し、この自立部材２０は、自立部材収容部８の第３壁面８ｃ及び第４壁面８ｄに係合する突起部が設けられている。具体的には、図９にも示すように、第１ガイド部１２に対応する位置に第１ガイド軸部２２が設けられ、第２ガイド部１３に対応する位置に第２ガイド軸部２３が設けられている。これら第１ガイド軸部２２と第２ガイド軸部２３とに挟まれた位置にスライド保持部１１に係合するスライドロック部２１が設けられている。このスライドロック部２１は、第１保持部１１ａ及び第２保持部１１ｂにすっぽり嵌り込むように半球形状を有している。また、第１ガイド軸部２２は、第１ガイド軸２２ａと、第２方向Ｂに延びる第１回動ロック部２２ｂとで構成されている。また第１ガイド軸部２２は、上記第１スライドガイド部１２ｂによるスライド範囲内ではスライドが可能となるように、第１スライドガイド部１２ｂの幅Ｗ１に合わせて丸棒の対向する面が平坦に面取りされている。第２ガイド軸部２３は、第１ガイド軸部２２を反転させた形状であって、同じく第２ガイド軸２３ａと第１方向Ａに延びる第２回動ロック部２３ｂとを有し、第２ガイド部１３に係合するように構成されている。
【００３４】
上記のように構成することで、第１及び第２ガイド軸部２２，２３は、充電台５の第１及び第２支点部１２ａ，１３ａにおいては回動及びスライドが可能であり、第１及び第２スライドガイド部１２ｂ，１３ｂにおいてはスライドのみが可能であり、第１及び第２離脱部１２ｃ，１３ｃにおいては離脱が可能となっている。
【００３５】
−充電台の使用方法−
次いで、本実施形態にかかる充電台５の使用方法について説明する。
【００３６】
（１）平置き状態
使用者が充電台５を自立させずに、平らな平置き状態で充電するときは、図１０に示すように、自立部材２０は自立部材収容部８に収納したままの状態になる。この平置き状態では、表示部１ａも水平であるので、ＴＶ視聴には適さない。
【００３７】
図１１は、自立部材２０が自立部材収容部８に収容された状態を示し、第１ガイド軸２２ａは第１スライドガイド部１２ｂに係合し、第２ガイド軸２３ａは第２支点部１３ａに係合している。また、自立部材２０は、第１方向Ａにスライド可能である。スライドロック部２１は、スライド保持部１１の第１保持部１１ａに係合され、第２方向Ｂにスライド完了した第１スライド完了位置でロックされている。この状態で自立部材２０は充電台５に保持される。
【００３８】
スライドロック部２１と第１保持部１１ａとのロックを解除すれば、第１ガイド軸２２ａは、第１離脱部１２ｃによってＤ方向に離脱が可能であり、また、第１離脱部１２ｃに連続する第１スライドガイド部１２ｂによって第１方向Ａにスライドが可能である。第２ガイド軸２３ａは、係合した第２支点部１３ａによって回動が可能であり、また、第２支点部１３ａに連続する第２スライドガイド部１３ｂによって第１方向Ａにスライドが可能である。
【００３９】
（２）第１の自立状態
使用者が充電台を自立させたいときは、自立部材２０を充電台５の自立部材収容部８から引き起こすことが必要となる。
【００４０】
まず、図１１の状態からスライドロック部２１と第１保持部１１ａとのロックを解除して自立部材２０を引き起こし、第１ガイド軸２２ａを第１離脱部１２ｃから第４方向Ｄへ離脱させる。このことで自立部材２０のロックが解除されて回動可能となる。
【００４１】
さらに図１２に示す矢印の方向に、回動させて自立部材２０を充電台５から引き起こす。このとき、自立部材２０の回動支点は、第２ガイド軸２３ａ及び第２支点部１３ａとなる。
【００４２】
回動完了位置まで引き起こされた自立部材２０は、第２回動ロック部２３ｂが第２回動保持部１３ｄと係合し、第１回動完了位置でロックされる。図１３に示すように、自立状態となった充電台５は、充電台５の接地面５ａと、ロックされた自立部材２０の第１接地面２０ａとによって、第１自立角度αで自立され、携帯端末１を装着した状態でＴＶ視聴が可能となる。
【００４３】
（３）第２の自立状態
次いで、使用者が、図１４のようにさらに自立角度を小さくした第２自立角度βで充電台５を使用する場合について説明する。
【００４４】
この場合には、図１１の状態から自立部材２０を回動させず、最初にスライドロック部２１と第１保持部１１ａとのロックを解除して第１方向Ａにスライドさせる。図１１の状態では、自立部材２０の第１ガイド軸２２ａは、係合した第１スライドガイド部１２ｂによって第１方向Ａにスライドが可能であり、第２ガイド軸２３ａは係合した第２支点部１３ａから第２スライドガイド部１３ｂを通って第１方向Ａにスライドが可能なので、自立部材２０を第１方向Ａにスライドをさせることができる。
【００４５】
図１５は、自立部材２０を第１方向Ａにスライド完了した状態を示す。スライドロック部２１は、第２保持部１１ｂに係合し、自立部材２０が第２スライド完了位置に保持されている。スライドロック部２１と第２保持部１１ｂとのロックを解除すれば、第１ガイド軸２２ａは、係合した第１支点部１２ａによって回動が可能であり、また第１支点部１２ａに連続する第１スライドガイド部１２ｂによって第２方向Ｂにスライドが可能である。第２ガイド軸２３ａは、第２離脱部１３ｃによってＤ方向に離脱が可能であり、また、第２離脱部１３ｃに連続する第２スライドガイド部１３ｂによって第２方向Ｂにスライドが可能である。
【００４６】
第２スライド完了位置から自立をさせるには、スライドロック部２１と第２保持部１１ｂとのロックを解除して自立部材２０を自立部材収容部８より引き起こすことが必要となる。図１６に示す通り、自立部材２０は、第１ガイド軸２２ａ及び第１支点部１２ａが回動支点となり、第２ガイド軸２３ａは第２離脱部１３ｃから離脱するので、自立部材２０は、自立部材収容部８より引き起こされる。
【００４７】
第２回動完了位置まで引き起こされた自立部材２０は、第１回動ロック部２２ｂが第１回動保持部１２ｄと係合し、第２回動完了位置でロックされる。
【００４８】
図１４に示すように、自立状態となった充電台５は、充電台の接地面５ａと、ロックされた自立部材２０の第２接地面２０ｂとによって、第１自立角度αよりも小さい第２自立角度β（α＜β）で自立させた状態でＴＶ視聴が可能となる。
【００４９】
−実施形態の効果−
以上説明したように、本実施形態の充電台５では、二つの回動支点である第１及び第２ガイド軸２２ａ，２３ａを持つ自立部材２０をスライド可能とし、スライドされた位置に応じた支点である第１又は第２支点部１２ａ，１３ａを中心に回動させることによって、充電台５に収納可能となるコンパクトな部材でありながら、部品点数を増やすことなく簡単な構成で、１つの自立部材２０によって自立角度を変えることが可能となり、使用に応じた第１又は第２自立角度α，βを選択可能とし、快適にＴＶ視聴を行うことができる。
【００５０】
（その他の実施形態）
本発明は、上記実施形態について、以下のような構成としてもよい。
【００５１】
すなわち、上記実施形態では、携帯端末１は、スライド式の携帯電話機としたが、ストレートタイプや折畳み式の携帯電話機であってもよい。また、携帯端末１は、ＰＨＳ、ＰＤＡ、ＰＣ、モバイルツール、電子辞書、電卓、ゲーム機等であってもよい。
【００５２】
なお、以上の実施形態は、本質的に好ましい例示であって、本発明、その適用物や用途の範囲を制限することを意図するものではない。
【図面の簡単な説明】
【００５３】
【図１】本発明の実施形態にかかる携帯端末を示し、（ａ）が正面図で、（ｂ）が側面図である。
【図２】本発明の実施形態にかかる充電台を示し、（ａ）が正面図で、（ｂ）が側面図である。
【図３】携帯端末を充電台に装着した状態を示し、（ａ）が正面図で、（ｂ）が側面図である。
【図４】充電台を背面から見た分解斜視図である
【図５】図２のＶ−Ｖ線断面図である
【図６】収納部を拡大して示す斜視図である
【図７】収納部を拡大して示す断面図である
【図８】自立部材を拡大して示す斜視図である
【図９】自立部材を拡大して示す側面図である
【図１０】携帯端末を保持した充電台を平置きした様子を示す断面図である
【図１１】自立部材が第１スライド完了位置にある様子を示す断面図である
【図１２】自立部材が第１回動完了位置にある様子を示す断面図である
【図１３】携帯端末を保持した充電台を第１角度で傾斜させた様子を示す断面図である
【図１４】携帯端末を保持した充電台を第２角度で傾斜させた様子を示す断面図である
【図１５】自立部材が第２スライド完了位置にある様子を示す断面図である
【図１６】自立部材が第２回動完了位置にある様子を示す断面図である
【図１７】従来の携帯端末を示す斜視図である。
【図１８】従来の携帯端末の自立状態を示す斜視図である。
【図１９】従来の充電台を示す斜視図である。
【図２０】従来の充電台の自立状態を示す斜視図である。
【図２１】従来の携帯端末の縦長状態を示す斜視図である。
【図２２】従来の携帯端末の横長状態を示す斜視図である。
【符号の説明】
【００５４】
１      携帯端末
１ａ    表示部
２      第１の筐体
３      第２の筐体
５      携帯端末用充電台
５ａ    接地面
６      充電台本体
７      端末収容部
８      自立部材収容部
８ａ    第１壁面
８ｂ    第２壁面
８ｃ    第３壁面
８ｄ    第４壁面
８ｅ    底面
１１      スライド保持部
１１ａ    第１保持部
１１ｂ    第２保持部
１２      第１ガイド部
１２ａ    第１支点部
１２ｂ    第１スライドガイド部
１２ｃ    第１離脱部
１２ｄ    第１回動保持部
１３      第２ガイド部
１３ａ    第２支点部
１３ｂ    第２スライドガイド部
１３ｃ    第２離脱部
１３ｄ    第２回動保持部
２０      自立部材
２０ａ    第１接地面
２０ｂ    第２接地面
２１      スライドロック部
２２      第１ガイド軸部
２２ａ    第１ガイド軸
２２ｂ    第１回動ロック部
２３      第２ガイド軸部
２３ａ    第２ガイド軸
２３ｂ    第２回動ロック部
【図１】
2010056674.tif 000003
【図２】
2010056674.tif 000004
【図３】
2010056674.tif 000005
【図４】
2010056674.tif 000006
【図５】
2010056674.tif 000007
【図６】
2010056674.tif 000008
【図７】
2010056674.tif 000009
【図８】
2010056674.tif 000010
【図９】
2010056674.tif 000011
【図１０】
2010056674.tif 000012
【図１１】
2010056674.tif 000013
【図１２】
2010056674.tif 000014
【図１３】
2010056674.tif 000015
【図１４】
2010056674.tif 000016
【図１５】
2010056674.tif 000017
【図１６】
2010056674.tif 000018
【図１７】
2010056674.tif 000019
【図１８】
2010056674.tif 000020
【図１９】
2010056674.tif 000021
【図２０】
2010056674.tif 000022
【図２１】
2010056674.tif 000023
【図２２】
2010056674.tif 000024